(57)【要約】【課題】密着工法を用いた場合であっても、工程が天候の影響を受けにくく、かつ、接着剤の管理も容易な高外断熱性能を有した外部床の防水構造を提供する。【解決手段】外部床２の防水構造１では、床下地４に直接的に接するのは断熱材１１とし、例えば降雨の直後において床下地４が湿潤した状態であっても、床下地４の上に断熱材１１，１２を設けることにより、断熱材１１，１２より上の層については湿潤した床下地４の影響を受けることをなくし、防水シート２０が接着された密着工法においても、工程が天候の影響を受けにくくする。また、断熱材１１，１２および断熱材押さえ板１３を、固定ビス１６によって床下地４に対して固定することにより、床下地４に対する断熱材１１，１２や断熱材押さえ板１３の固定にあたり接着剤を不要とし、さらに複数層の断熱材を固定する。よって、断熱材押さえ板１３と防水シート２０との間の接着剤１７を用意するのみでよく、接着剤の管理を容易とする。【選択図】図１２
2013032694.tif 000002
【特許請求の範囲】
【請求項１】
床下地と、前記床下地の上に設けられた板状の断熱材と、前記断熱材の上に設けられた断熱材押さえ板と、前記断熱材押さえ板の上に設けられた防水シートと、を備え、
前記断熱材および前記断熱材押さえ板は、前記断熱材押さえ板の上面側から前記床下地に到達するように設けられたビスによって前記床下地に対して固定され、
前記防水シートが、前記断熱材押さえ板の上面の略全面に接着されたことを特徴とする外部床の防水構造。
【請求項２】
前記防水シートが、粘着剤によって前記断熱材押さえ板に接着されたことを特徴とする請求項１に記載の外部床の防水構造。
【請求項３】
前記床下地が、鉄骨梁に架け渡された複数のＡＬＣパネルを有してなることを特徴とする請求項１または２記載の外部床の防水構造。
【請求項４】
前記床下地の周縁部に沿って立ち上がったパラペットを備え、
前記床下地が、鉄骨梁に架け渡された複数のＡＬＣパネルと、前記複数のＡＬＣパネル間に形成された目地部および前記パラペットと前記ＡＬＣパネルとの間の空隙に充填された目地モルタルと、からなり、
前記パラペットの内側面に固定され、前記断熱材押さえ板の周縁部の浮き上がりを防止する端部固定金物を更に備えたことを特徴とする請求項１〜３のいずれか一項記載の外部床の防水構造。
【請求項５】
前記断熱材押さえ板の前記パラペット側の端部には勾配が設けられ、前記パラペットの内面に沿う集水溝が形成されたことを特徴とする請求項４記載の外部床の防水構造。
【請求項６】
前記断熱材押さえ板の目地部上部に目地テープが貼られたことを特徴とする請求項１〜５のいずれか一項記載の外部床の防水構造。
【発明の詳細な説明】
【技術分野】
【０００１】
本発明は、ベランダや陸屋根等の建物の外部床の防水構造に関するものである。
【背景技術】
【０００２】
従来、ベランダや陸屋根等の略水平な外部床に防水層を形成するにあたり、下記特許文献１に記載されるように、防水シートを接着剤によって全面的に接着する工法が知られている。この工法は、密着工法または接着工法と呼ばれる。さらに、建物内の温熱環境を向上させるために、床下地と防水シートとの間に断熱材を介在させることがある。この場合、床下地と断熱材、および断熱材と防水シートとは、それぞれ接着剤を用いて接着されるのが一般的である。
【先行技術文献】
【特許文献】
【０００３】
【特許文献１】特開２００７−２３１０４４号公報
【発明の概要】
【発明が解決しようとする課題】
【０００４】
しかしながら、各層の間に接着剤を使用する従来の工法では、以下のような問題がある。すなわち、降雨などにより床下地が湿潤した状態では、接着剤の接着力が低下するので、工程が天候の影響を受けて変動しやすい。また、床下地と断熱材との間に使用される接着剤、および、断熱材と防水シートとの間に使用される接着剤のそれぞれについて、適切な種類の接着剤を用意する必要があり、接着剤の管理が難しい。
【０００５】
本発明は、このような課題を解決するためになされたものであり、密着工法を用いた場合であっても、工程が天候の影響を受けにくく、かつ、接着剤の管理も容易な外部床の防水構造を提供することを目的とする。
【課題を解決するための手段】
【０００６】
本発明に係る外部床の防水構造は、床下地と、床下地の上に設けられた板状の断熱材と、断熱材の上に設けられた断熱材押さえ板と、断熱材押さえ板の上に設けられた防水シートと、を備え、断熱材および断熱材押さえ板は、断熱材押さえ板の上面側から床下地に到達するように設けられたビスによって床下地に対して固定され、防水シートが、断熱材押さえ板の上面の略全面に接着されたことを特徴とする。
【０００７】
この外部床の防水構造によれば、床下地に直接的に接するのは断熱材であるので、例えば降雨の直後において床下地が湿潤した状態であっても、床下地の上に断熱材を設けることで、断熱材より上の層については湿潤した床下地の影響を受けることがなくなり、防水シートが接着された密着工法においても、工程が天候の影響を受けにくい。また、断熱材および断熱材押さえ板は、ビスによって床下地に対して固定されるので、床下地に対する断熱材や断熱材押さえ板の固定にあたり接着剤は不要である。よって、断熱材押さえ板と防水シートとの間の接着剤を用意するのみでよく、接着剤の管理が容易である。
【０００８】
ここで、防水シートが、粘着剤によって断熱材押さえ板に接着されたことが好ましい。この場合、粘着性のある粘着剤を用いて防水シートを接着することで、例えば、断熱材押さえ板とビスとの間に段差が生じている場合や、地震時に両者の間にズレが生じた場合であっても、接着性能を確実に維持することができる。
【０００９】
また、床下地が、鉄骨梁に架け渡された複数のＡＬＣパネルを有してなることが好ましい。ＡＬＣパネルは多孔質の素材であるため、接着剤が付着しにくく、湿潤状態にあっては、接着剤がさらに付着しにくい。よって、床下地に接着剤を直接用いることがない本発明の防水構造によれば、床下地がＡＬＣパネルを有してなる場合であっても、上記の作用・効果が好適に発揮される。
【００１０】
また、床下地の周縁部に沿って立ち上がったパラペットを備え、床下地が、鉄骨梁に架け渡された複数のＡＬＣパネルと、複数のＡＬＣパネル間に形成された目地部およびパラペットとＡＬＣパネルとの間の空隙に充填された目地モルタルと、からなり、パラペットの内側面に固定され、断熱材押さえ板の周縁部の浮き上がりを防止する端部固定金物を更に備えたことが好ましい。パラペットとＡＬＣパネルとの間の空隙に目地モルタルが充填される場合、パラペットに近い部分（すなわち、目地モルタルや、ＡＬＣパネルにおける補強鉄筋に囲まれていない周縁の領域）では、ビスが利きにくいため、断熱材および断熱材押さえ板の固定が難しい。上記構成によれば、断熱材押さえ板の周縁部の浮き上がりを防止する端部固定金物がパラペットの内側面に固定されているため、断熱材押さえ板に負圧がはたらいて浮き上がることを防止でき、断熱材押さえ板や防水シートが煽られて破損することを防止できる。
【００１１】
また、断熱材押さえ板のパラペット側の端部には勾配が設けられ、パラペットの内面に沿う集水溝が形成されたことが好ましい。この場合、断熱材押さえ板の端部を加工するだけで容易に集水溝を形成でき、雨水等を効果的に集水し外部に排出することができる。
【００１２】
また、断熱材押さえ板の目地部上部に目地テープが貼られたことが好ましい。この場合、断熱材押さえ板の目地部の隙間や段差が目地テープで覆われることとなるため、防水シート上を人が歩行した場合重量物を載置した際に、断熱材押さえ板の角部で防水シートを傷つけることを防止することができ、防水性能を維持することができる。
【発明の効果】
【００１３】
本発明によれば、密着工法を用いた場合であっても、工程が天候の影響を受けにくく、かつ、接着剤の管理も容易である。
【図面の簡単な説明】
【００１４】
【図１】本発明の第１実施形態に係る防水構造の断面図である。
【図２】第２実施形態に係る防水構造の断面図である。
【図３】第３実施形態に係る防水構造の断面図である。
【図４】図３の要部を拡大して示す断面図である。
【図５】図３のＶ−Ｖ線に沿っての断面図である。
【図６】第４実施形態に係る防水構造の断面図である。
【図７】図６のＶＩＩ−ＶＩＩ線に沿っての断面図である。
【図８】第５実施形態に係る防水構造の断面図である。
【図９】図８のＩＸ−ＩＸ線に沿っての断面図である。
【図１０】第６実施形態に係る防水構造の断面図である。
【図１１】図１０のＸＩ−ＸＩ線に沿っての断面図である。
【図１２】第７実施形態に係る防水構造の断面図である。
【図１３】変形例に係る防水構造の平面図である。
【図１４】従来の防水構造の断面図である。
【発明を実施するための形態】
【００１５】
以下、本発明の実施形態について、図面を参照しながら説明する。なお、図面の説明において同一要素には同一符号を付し、重複する説明は省略する。また、各図面は説明用のために作成されたものであり、説明の対象部位を特に強調するように描かれている。そのため、図面における各部材の寸法比率は、必ずしも実際のものとは一致しない。
【００１６】
図１は、第１実施形態に係る防水構造１の断面図である。図１に示すように、防水構造１は、ベランダや陸屋根等の建物の外部床２および外部床２の周縁部２ａに沿って立ち上がるパラペット３に、防水シート２０が設けられた構造である。防水構造１の防水シート２０は、外部床２の全面および外部床２の周縁からパラペット３の内側面３ａにおける所定の高さまでを覆うことにより、外部床２の防水層を形成している。
【００１７】
防水構造１は、外部床２と、パラペット３と、外部床２上及びパラペット３の内側面３ａに接着された防水シート２０と、を有している。また、外部床２は、鉄骨梁９によって支持された床下地４と、床下地４上で２層に敷設された断熱材１１，１２と、断熱材１２上に敷設された断熱材押さえ板１３と、を有している。
【００１８】
床下地４は、平坦な面を有しており、外部床２の自重および外部床２に作用する積載荷重等を受けて鉄骨梁９を含む架構に伝達するものである。床下地４は、例えばＨ形鋼からなる鉄骨梁９に架け渡された複数のＡＬＣ（軽量気泡コンクリート）パネル６と、複数のＡＬＣパネル６間に形成された目地部に充填された目地モルタル７と、パラペット３を構成する外壁パネル１０とＡＬＣパネル６との間の空隙に充填された目地モルタル８と、からなっている。目地モルタル８は、床下地４の周縁部に相当する。ＡＬＣパネル６は、長方形板状をなしている。ＡＬＣパネル６の内部の略直方体状の領域６ａ（図１の二点鎖線参照）が、上下２段に配設された井桁状の補強鉄筋で囲まれている。
【００１９】
断熱材１１，１２は、建物内の温熱環境を改善するためのものである。断熱材１１，１２のそれぞれは、板状に成形された発泡プラスチック系の断熱材である。断熱材１１，１２は、例えば、フェノールフォーム、ポリスチレンフォーム、ポリエチレンフォーム等によって形成される。断熱材１１，１２は、床下地４に対して略全面的に敷設されている。断熱材１１，１２は、後述する固定ビス１６によって床下地４に対し固定されているため、床下地４と断熱材１１，１２との間には、接着剤は設けられていない。
【００２０】
断熱材押さえ板１３は、断熱材１１，１２を押さえると共に、防水シート２０を固定するための下地となるものである。断熱材押さえ板１３としては、各種の板材を用いることができる。例えば、断熱材押さえ板１３として、集成材（ＧＬ）、単板積層材（ＬＶＬ）、合板（ＰＷ）、構造用合板、配向性ストランドボード（ＯＳＢ）、パーティクルボード（ＰＢ）、低密度パーティクルボード（ＬＰＢ）、ハードボード（ＨＢ）、中密度ファイバーボード（ＭＤＦ）、インシュレーションボード（ＩＢ）、珪酸カルシウム板、スレート板、スラグ石膏ボード、石膏パーティクルボード（ＧＰＢ）、木片セメント板（ＣＰＢ）、硬質木片セメント板（センチュリーボード）、パルプ混入セメント板、木毛セメント板などを用いることができる。断熱材押さえ板１３としては、粘りがあり、面剛性の高い材料が適している。これは、負圧が作用するなどして断熱材押さえ板１３に対し上向きの力が作用した場合に、ビスによって固定された部分が破壊されること（ビス抜け）を抑制できるようにするためである。断熱材押さえ板１３は、断熱材１２の上面に略全面的に敷設されている。断熱材押さえ板１３は、後述する固定ビス１６によって床下地４に対し固定されているため、断熱材１２と断熱材押さえ板１３との間には、接着剤は設けられていない。
【００２１】
パラペット３は、周縁部２ａの下方に位置する鉄骨梁９及び目地モルタル８に沿って起立した外壁パネル１０からなる。すなわち、パラペット３は、目地モルタル８（床下地４の周縁部）に沿って立ち上がっている。外壁パネル１０は、例えばＡＬＣパネルである。外壁パネル１０は、外部床２の上方に一定の長さ突出している。
【００２２】
外部床２およびパラペット３に設けられた防水シート２０は、例えば、塩化ビニルシート、加硫ゴムシート、アスファルトシート、オレフィンシート等からなる。
【００２３】
本実施形態の防水構造１にあっては、断熱材１１，１２および断熱材押さえ板１３は、断熱材押さえ板１３の上面側から床下地４に到達するようにねじ込まれた固定ビス１６によって、床下地４に対して固定されている。さらに、防水シート２０は、断熱材押さえ板１３の上面の略全面、および、外部床２の周縁部２ａからパラペット３の内側面３ａにかけて、接着剤１７によって接着されている。すなわち、防水構造１では、防水シート２０に関しては密着工法を採用すると共に、防水シート２０の下層の部分に関しては接着剤を用いず、固定ビス１６による固定を採用している。
【００２４】
固定ビス１６は、ＡＬＣパネル６内の補強鉄筋で囲まれた領域６ａに設けられている。すなわち、固定ビス１６の先端は、領域６ａに到達している。これにより、固定ビス１６を打ち込んだ際、その衝撃力によりＡＬＣパネル６に割れ等が生じるといった事が防止されており、断熱材１１，１２および断熱材押さえ板１３は、固定ビス１６によって確実に固定されている。
【００２５】
固定ビス１６の頭部と断熱材押さえ板１３との間には、ワッシャ１４が配置されている。ワッシャ１４は、円板状であり、中央に固定ビス１６を挿通する為のビス挿通穴が設けられ、ビス挿通穴の周囲には、固定ビス１６の頭部（扁平な円錐形）のテーパに対応する凹部が形成され、ワッシャ１４の上面と固定ビス１６の頭部の上面とが略面一となるように構成されている。ワッシャ１４を噛ませることで、負圧が作用するなどして断熱材押さえ板１３に上向きの力が作用した際の、固定ビス１６一箇所あたりの反力が大きくとれ、固定ビス１６のピッチを大きく設定することができる。
【００２６】
接着剤１７としては、粘性を有する接着剤、すなわち粘着剤が用いられる。例えば、接着剤１７としては、ネオプレーンゴム系、ニトリルゴム系、アクリルゴム系、ブチルゴム系、シリコンゴム系、ウレタンゴム系、ゴムアスファルト系などの接着剤を用いることができる。接着剤１７として粘着剤を用いることにより、断熱材押さえ板１３と固定ビス１６との間、或いは断熱材押さえ板１３とワッシャ１４との間に段差が生じている場合や、地震時に両者の間にズレが生じた場合であっても、接着性能が確実に維持される。なお、接着剤１７として、粘性を有しない（硬化する）接着剤、例えば、エポキシ系、アクリル系、ウレタン系の接着剤を用いてもよい。
【００２７】
防水構造１においては、塩化ビニルシートからなる防水シート２０、ニトリルゴム系の接着剤１７、及び構造用合板（または硬質木片セメント板）からなる断熱材押さえ板１３の組み合わせとすることが好ましい。または、塩化ビニルシートからなる防水シート２０、ネオプレーンゴム系の接着剤１７、及び構造用合板（または硬質木片セメント板）からなる断熱材押さえ板１３の組み合わせとすることが好ましい。
【００２８】
パラペット３の内側面３ａには、外部床２の上面から所定の高さ位置において、横方向に延在する溝部３ｂが形成されている。防水シート２０は、この溝部３ｂの近傍まで敷設される。防水シート２０の上端部２０ａは、内側面３ａおよび溝部３ｂに沿って配置された防水鋼板１８によって接着・固定される。この防水鋼板１８は、溝部３ｂにおいて、ビス１９によって外壁パネル１０に対して固定される。防水鋼板１８は、表面に塩ビコーティングが施されてなる。防水鋼板１８は、溶剤を用いた溶着もしくは加熱による融着によって防水シート２０を表面に接着し、これによって防水シート２０を固定する。
【００２９】
以上説明した本実施形態の防水構造１によれば、床下地４に直接的に接するのは断熱材１１であるので、例えば降雨の直後において床下地４が湿潤した状態であっても、床下地４の上に断熱材１１，１２を設けることで、断熱材１１，１２より上の層については湿潤した床下地４の影響を受けることがなく、防水シート２０が接着された密着工法においても、工程が天候の影響を受けにくくなっている。また、断熱材１１，１２および断熱材押さえ板１３は、固定ビス１６によって床下地４に対して固定されるので、床下地４に対する断熱材１１，１２や断熱材押さえ板１３の固定にあたり接着剤は不要とされている。よって、断熱材押さえ板１３と防水シート２０との間の接着剤１７を用意するのみでよく、接着剤の管理が容易である。
【００３０】
また、粘着性のある粘着剤を用いて防水シートを接着することで、断熱材押さえ板１３と固定ビス１６との間の段差や、地震時に両者の間にズレが生じた場合であっても、接着性能が確実に維持される。
【００３１】
ＡＬＣパネル６は多孔質の素材であるため、接着剤が付着しにくく、湿潤状態にあっては、接着剤がさらに付着しにくいが、床下地４に接着剤を直接用いることがない防水構造１によれば、床下地４がＡＬＣパネル６を有してなる場合であっても、上記の作用・効果が好適に発揮される。
【００３２】
ここで、仮に断熱材１１，１２および断熱材押さえ板１３を固定するための固定ビス１６が、目地モルタル８や、ＡＬＣパネル６内の補強鉄筋で囲まれていない領域（図１の領域Ａ）に設けられた場合、例えば目地モルタル８とＡＬＣパネル６のずれ等が生じて所定の機能を発揮できないおそれがある。しかし、防水構造１によれば、固定ビス１６は、ＡＬＣパネル６の内部における補強鉄筋で囲まれた領域６ａに設けられるので、固定ビス１６が適正に機能し、断熱材１１，１２、断熱材押さえ板１３、および断熱材押さえ板１３に接着された防水シート２０が確実に固定される。また、外部床２の周縁部２ａにおいては、防水シート２０は、固定ビス１６が用いられることなく、接着剤１７により確実に固定される。よって、品質を安定させることができる。
【００３３】
例えば、図１４に示すような、絶縁工法を用いた従来の防水構造１００では、防水シート１２０を固定するにあたり、防水鋼板１１４を固定するための固定ビス１１６を領域Ａに打てないため、固定ビス１１６がパラペット３から遠くならざるを得ず、結果として防水鋼板１１４の幅が広くなってしまっていた。この場合、材料費の増大は避けられなかった。
【００３４】
また、防水構造１００におけるような材料費の増大を避けるため、ＡＬＣパネルをパラペットに当接するように配置し、固定ビスをパラペット近傍に打つことで防水鋼板を小型化する構造も考えられるが、この場合、剛床固定ができなくなるといった問題がある。
【００３５】
これに対し、防水構造１によれば、外部床２の全面にわたって密着工法を採用しているので、材料費が低減されており、施工コストの増大が抑えられている。また、剛床固定が可能になる。
【００３６】
図２は、第２実施形態に係る防水構造１Ａの断面図である。この防水構造１Ａが図１に示した防水構造１と違う点は、断熱材押さえ板１３に代えて、パラペット３側の端部１３ａに勾配が設けられた断熱材押さえ板１３Ａを用いた点である。断熱材押さえ板１３Ａの端部１３ａの厚みすなわち高さは、パラペット３に近づくにつれて漸減している。この防水構造１Ａによれば、防水構造１と同様の作用・効果を得ることができると共に、雨水等を外部床２の周縁部２ａに好適に排水する排水機能をもたせることができる。なお、図２以降の図面においては、目地モルタル７の図示は省略されている。
【００３７】
図３は、第３実施形態に係る防水構造１Ｂの断面図であり、図４は、図３の要部を拡大して示す断面図であり、図５は、図３のＶ−Ｖ線に沿っての断面図である。この防水構造１Ｂが図１に示した防水構造１と違う点は、断熱材１１，１２のパラペット３側に勾配断熱材２１を配置した点と、勾配断熱材２１上に敷設された断熱材押さえ板１３の周縁部１３ｂの浮き上がりを防止する押さえ金物２２を設けた点である。勾配断熱材２１は、断熱材１１，１２と同じ材料からなる。勾配断熱材２１の厚みすなわち高さは、パラペット３から最も遠い部分（図３の右側端部）では断熱材１１および断熱材１２を合わせた高さに等しいが、パラペット３に近づくにつれて漸減している。また、勾配断熱材２１の厚みすなわち高さは、パラペット３に沿う横方向においても漸減している（図５参照）。
【００３８】
押さえ金物２２は、パラペット３の内側面３ａに固定されている。押さえ金物２２は、断面Ｌ字状のアングル材からなる。図４に示すように、押さえ金物２２は、パラペット３の内側面３ａに当接される垂直片２２ａと、垂直片２２ａの端縁に連設されて略水平に延びる水平片２２ｂと、からなる。垂直片２２ａは、内側面３ａと断熱材押さえ板１３の周縁部１３ｂとの間に配置されている。水平片２２ｂは、断熱材押さえ板１３の周縁部１３ｂの裏面側に配置されている。垂直片２２ａは、ビス２３によってパラペット３の内側面３ａに固定され、水平片２２ｂは、断熱材押さえ板１３上から打ち込まれるビス２４によって、断熱材押さえ板１３の周縁部１３ｂと勾配断熱材２１との間で固定される。押さえ金物２２は、パラペット３に沿う横方向に延在してもよいし、ビス２３，２４の位置においてスポットで設けられてもよい。断熱材押さえ板１３の周縁部１３ｂは、押さえ金物２２およびビス２４によって、勾配を有する勾配断熱材２１の上面に沿うようにして下方に屈曲されている。
【００３９】
このような構成により、防水構造１Ｂでは、パラペット３に近づくにつれて下方に傾斜すると共に、パラペット３に沿う横方向においても傾斜した集水溝２６（図５参照）が形成される。防水構造１Ｂでは、断熱材押さえ板１３の端部（周縁部１３ｂや勾配断熱材２１）を加工するだけで容易に集水溝２６を形成できる。
【００４０】
この防水構造１Ｂによれば、防水構造１，１Ａと同様の作用・効果を得ることができる。ここで、パラペット３とＡＬＣパネル６との間の空隙に目地モルタル８が充填される場合、パラペット３に近い部分では、ビスが利きにくいため、断熱材１１，１２および断熱材押さえ板１３の固定が難しいが、防水構造１Ｂによれば、断熱材押さえ板１３の周縁部１３ｂの浮き上がりを防止する押さえ金物２２がパラペット３の内側面３ａに固定されているため、風などによって断熱材押さえ板１３の周縁部１３ｂに負圧がはたらいた場合であっても、押さえ金物２２によって、断熱材押さえ板１３の周縁部１３ｂの浮き上がりが防止される。また、断熱材押さえ板１３や防水シート２０が煽られて破損することを防止できる。さらにまた、図５に示すように、パラペット３に沿う横方向に（図５の右側から左側に向けて）雨水等を集水する機能をもたせ、雨水等を効果的に集水し外部に排出することができる。
【００４１】
図６は、第４実施形態に係る防水構造１Ｃの断面図であり、図７は、図６のＶＩＩ−ＶＩＩ線に沿っての断面図である。この防水構造１Ｃが図３〜図５に示した防水構造１Ｂと違う点は、押さえ金物２２の水平片２２ｂを断熱材押さえ板１３の周縁部１３ｂの表面側に配置した点である。この水平片２２ｂは、ビス２４によって、防水シート２０と断熱材押さえ板１３の周縁部１３ｂとの間で固定される。
【００４２】
この防水構造１Ｃによれば、防水構造１，１Ａ，１Ｂと同様の作用・効果を得ることができる。図７に示すように、パラペット３に沿う横方向に（図７の右側から左側に向けて）雨水等を集水する機能をもたせ、雨水を効果的に集水し外部に排出することができる。
【００４３】
図８は、第５実施形態に係る防水構造１Ｄの断面図であり、図９は、図８のＩＸ−ＩＸ線に沿っての断面図である。この防水構造１Ｄが図３〜図５に示した防水構造１Ｂと違う点は、押さえ金物２２の垂直片２２ａをパラペット３の内側面３ａと勾配断熱材２１との間に配置した点である。この垂直片２２ａは、勾配断熱材２１の設置前に打ち込まれるビス２３によって内側面３ａに固定される。
【００４４】
この防水構造１Ｄによれば、防水構造１，１Ａ，１Ｂと同様の作用・効果を得ることができる。図９に示すように、パラペット３に沿う横方向に（図９の右側から左側に向けて）雨水等を集水する機能をもたせ、雨水を効果的に集水し外部に排出することができる。
【００４５】
図１０は、第６実施形態に係る防水構造１Ｅの断面図であり、図１１は、図１０のＸＩ−ＸＩ線に沿っての断面図である。この防水構造１Ｅが図３〜図５に示した防水構造１Ｂと違う点は、押さえ金物２２の水平片２２ｂを断熱材押さえ板１３の周縁部１３ｂの表面側に配置した点と、押さえ金物２２の垂直片２２ａをパラペット３の内側面３ａと勾配断熱材２１および断熱材押さえ板１３の周縁部１３ｂとの間に配置した点である。この垂直片２２ａは、勾配断熱材２１および断熱材押さえ板１３の設置前に打ち込まれるビス２３によって内側面３ａに固定される。
【００４６】
この防水構造１Ｅによれば、防水構造１，１Ａ，１Ｂと同様の作用・効果を得ることができる。図１１に示すように、パラペット３に沿う横方向に（図１１の右側から左側に向けて）雨水等を集水する機能をもたせ、雨水を効果的に集水し外部に排出することができる。
【００４７】
図１２は、第７実施形態に係る防水構造１Ｆの断面図である。この防水構造１Ｆが図１に示した防水構造１と違う点は、断熱材１１，１２に代えて三層構造の断熱材４１，４２，４３を用いた点、防水鋼板４４を用いた点、および目地テープ５０を用いた点である。
【００４８】
断熱材４１は、ポリスチレンフォームからなる発泡プラスチック系の断熱材であり、後述する断熱材４２，４３と比較して弾性に富む材質となっており、ＡＬＣパネル６および目地モルタル８上に凹凸が存在していても、破壊されることなく凹凸を吸収することができる。断熱材４１は、外部床２に水勾配を形成する機能をも備えており、床下地４の上面の略全面に敷設されている。外部床２の周縁部２ａにおける断熱材４１は、略台形状の断面を有しており、その上面がパラペット３に近づくにつれて下方に傾斜している。具体的には、周縁部２ａにおける断熱材４１の高さは、パラペット３から最も遠い部分では、隣接する断熱材４１の高さに等しく、パラペット３に近づくにつれて漸減している。周縁部２ａ以外の領域における断熱材４１は、周縁部２ａの断熱材４１よりも傾斜が緩やかであり、全体として、図１３に示すように、外部床２に寄棟形状の水勾配が形成されるように構成されている。
【００４９】
断熱材４２，４３は、断熱材１１，１２同様、それぞれ板状に成形された、フェノールフォーム、ポリエチレンフォーム等からなる発泡プラスチック系の断熱材であり、断熱材４１と同等、または断熱材４１よりも高い断熱性能を有する。断熱材４２，４３は断熱材４１の上面の略全面に敷設されている。
【００５０】
断熱材押さえ板１３は、断熱材４３の上面の略全面に敷設されている。断熱材押さえ板１３は、断熱材４１、４２、４３を貫通して先端が床下地４に到達する固定ビス１６で固定されており、断熱材４１、４２、４３は、断熱材押さえ板１３によって、接着剤を用いることなく床下地４に固定されている。
【００５１】
防水シート２０は、断熱材押さえ板１３上面の略全面、パラペット３の内側面３ａ、および、パラペット３の上端面にわたって設けられており、断熱材押さえ板１３の上面、内側面３ａ、およびパラペット３の上端面の内周側部分に、接着剤１７によって接着されている。また、パラペット３の上端面の外周側部分には、防水鋼板４４が設けられている。防水鋼板４４は、略Ｌ字状のアングル材であり、表面に塩ビコーティングが施されてなる。防水鋼板４４は、パラペット３の上端面における接着剤１７が塗布された部分に連続してパラペット３の外周側に延び、パラペット３の外周側の端部で下方に折り曲げられるように設けられている。
【００５２】
また、本実施形態の防水構造１Ｆにあっては、断熱材押さえ板１３の目地部に、周縁部２ａにおける断熱材４２，４３および断熱材押さえ板１３と、それらの内側に隣接する断熱材４２，４３および断熱材押さえ板１３との間に形成される隙間Ｓを覆うように、目地テープ５０が貼られている。すなわち、目地テープ５０は、断熱材押さえ板１３の目地部上部に貼られている。目地テープ５０は、例えばポリエチレン製であり、一方の面には接着剤が塗布されている。
【００５３】
このように、複数の断熱材押さえ板１３の目地部が目地テープ５０で覆われることで、例えば、歩行者や重力物によって防水シート２０の上面に圧力が加わった場合に、断熱材押さえ板１３の角部が防水シート２０を傷つけることを防止することができる。
【００５４】
また、目地テープ５０が貼られていない場合は、複数の断熱材押さえ板１３が互いに伸縮して隙間Ｓの間隔が変化し、防水シート２０に局部的な応力が繰り返し発生して損傷する、いわゆるゼロスパンテンションが発生する可能性があるが、本実施形態の防水構造１Ｆでは、目地テープ５０によって断熱材押さえ板１３間に形成された隙間Ｓが覆われているため、断熱材押さえ板１３の伸縮によって防水シート２０に局部的な応力が発生することが防止でき損傷を回避することができる。
【００５５】
また、目地テープ５０が貼られていない場合は、隙間Ｓに接着剤１７等が溜まることがあり、この接着剤１７に残存する有機溶剤や水分により、防水シート２０が膨潤して膨れ上がるという問題が発生することがあるが、本実施形態の防水構造１Ｆでは、目地テープ５０が隙間Ｓの上部に貼られることによって、隙間Ｓに接着剤１７が溜まらなくなるため、接着剤１７によって防水シート２０が膨れる問題を防止することができる。
【００５６】
ところで、従来から、断熱材を多数重ねることが可能な高外断熱工法として機械固定工法（絶縁工法、浮かし貼り工法）が用いられてきたが、この機械固定方法では、例えばパラペット近傍等の周縁部２ａに多くの防水鋼板を用いる必要があり、多大なコストがかかるという問題がある。また、複雑な形状の防水鋼板にシートを溶着することには高い技能を要するという問題もある。
【００５７】
これに対して、上記実施形態の防水構造１，１Ａ〜１Ｆによれば、周縁部２ａにおいて防水鋼板が不要となり、材料コストを抑えることができ、また、高い技能が不要な工法とすることができる。
【００５８】
また、上記のような防水鋼板等の固定金具を使わない工法としては、接着剤を用いて断熱材等を接着させる接着工法が挙げられるが、接着工法は、接着剤の管理が難しく、また高外断熱工法を実現できず、機械固定工法と比較して断熱性が低いという点で改善の余地がある。
【００５９】
これに対して、上記実施形態の防水構造１，１Ａ〜１Ｆによれば、ＡＬＣパネル６の上部に、断熱材１１，１２または断熱材４１，４２，４３と断熱材押さえ板１３とが設けられ、断熱材１１，１２または断熱材４１，４２，４３と断熱材押さえ板１３とが固定ビス１６によって床下地４に対して固定されるため、接着剤の管理が容易になるとともに高外断熱工法を実現できる。
【００６０】
以上、本発明の実施形態について説明したが、本発明は上記実施形態に限られるものではない。例えば、断熱材は、２枚の断熱材１１，１２からなる二層構造や、３枚の断熱材４１，４２，４３からなる三層構造に限られず、１枚の断熱材からなる一層構造や、４枚以上の断熱材からなる複層構造であってもよい。押さえ金物２２を固定するためのビスは、ドリルネジやナイロンプラグビスであってもよい。床下地は、ＡＬＣパネル６からなる場合に限られず、ＰＣ（プレキャストコンクリート）パネルからなってもよい。また、鋼製のデッキプレートや折板屋根、ＲＣ（鉄筋コンクリート造）建物においてはＲＣスラブ、木造建物においては構造用合板等の木質パネルからなってもよい。さらにまた、パラペット３が設けられない場合であっても、本発明は適用可能である。
【００６１】
特に、デッキプレートからなる床下地に対し本発明に係る防水構造を適用することで、以下の通り高い防水品質を維持することができる。すなわち、デッキプレートからなる床下地に対し機械固定工法（絶縁工法、浮かし貼り工法）にて防水シートを施工した場合、防水シートが浮いているため、台風等の強風時にシートにばたつきが発生し、このばたつき振動が固定ビスに伝わる。デッキプレートの鋼板が薄い（例えば１ｍｍ以下）と、回転に対する抵抗力が小さいために、ばたつき振動によって固定ビスが回転してゆるみ、最終的には固定ビスが抜けて防水シートが飛んでしまうおそれがある。また、固定ビスの回転が進行し、ある程度経過すると、固定ビスによる固定度が低いのでシートディスク部の上下振動が大きくなり、これを繰り返すことで防水シートにビス頭が何度もぶつかって傷つけ、ついにはビス頭が防水シートを突き破って漏水するおそれがある。これに対して、本発明に係る防水構造では、防水シートが断熱材押さえ板に略全面的に接着される。従って、床下地がデッキプレートからなる場合であっても、強風時に防水シートがばたつくことはなく、固定ビスの回転に起因した上記のような現象は発生せず、高い防水品質を維持することができる。
【００６２】
なお、第２〜６実施形態において、押さえ金物２２を断熱材押さえ板１３の周縁部１３ｂに配置した例について説明したが、第２実施形態のように断熱材押さえ板１３の周縁部を屈曲させない形態であり、且つ、断熱材押さえ板１３が所定の粘りと強度を有する場合（例えば、厚さ９ｍｍ以上の構造用合板、厚さ１２ｍｍ以上のＯＳＢ、厚さ９ｍｍ以上のＭＤＦ、厚さ１５ｍｍ以上のパーティクルボード、厚み１２ｍｍ以上の硬質木片セメント板、厚み１２ｍｍ以上のパルプ混入セメント板等）には、押さえ金物２２は必要なく、第１実施形態のように、固定ビス１６のみで断熱材押さえ板１３を固定することができる。
【００６３】
また、第２〜第７実施形態の防水構造１Ａ〜１Ｆでは、周縁部２ａにおいて、断熱材４１の上面がパラペット３に近づくにつれて下方に傾斜しているため、雨水等を周縁部２ａに好適に排水する排水機能をもたせることができるが、周縁部２ａのパラペットに沿う方向にも勾配を設けることにより、より好適に排水機能を発揮させることができる。
【００６４】
具体的には、例えば図１３の変形例に示すように、断熱材４１の高さをパラペット３に沿う横方向についても漸減するようにして、最水下部に設けたドレーンＸに雨水が集まるように構成することで、周縁部２ａの上面に水溜まりが形成されにくくなり、雨水等をより好適にドレーンＸに排出させることができる。なお、周縁部２ａの長さが長すぎることにより所定の勾配を有する周縁部２ａの防水シート面の高さが限度を超えてしまうような場合は、周縁部２ａの断熱材４１の一部については、パラペット３に沿う横方向については傾斜させないようにしたり、ドレーンＸを適宜増設することで対応することができる。
【符号の説明】
【００６５】
１，１Ａ〜１Ｆ…防水構造、２…外部床、３…パラペット、３ａ…内側面、４…床下地、６…ＡＬＣパネル、７，８…目地モルタル、９…鉄骨梁、１１，１２，４１，４２，４３…断熱材、１３…断熱材押さえ板、１３ｂ…周縁部、１６…固定ビス（ビス）、１７…接着剤（粘着剤）、２０…防水シート、２２…押さえ金物（端部固定金物）、５０…目地テープ、Ｓ…隙間。
【図１】
2013032694.tif 000003
【図２】
2013032694.tif 000004
【図３】
2013032694.tif 000005
【図４】
2013032694.tif 000006
【図５】
2013032694.tif 000007
【図６】
2013032694.tif 000008
【図７】
2013032694.tif 000009
【図８】
2013032694.tif 000010
【図９】
2013032694.tif 000011
【図１０】
2013032694.tif 000012
【図１１】
2013032694.tif 000013
【図１２】
2013032694.tif 000014
【図１３】
2013032694.tif 000015
【図１４】
2013032694.tif 000016